(57)【要約】【課題】ユーザが、医療関連もしくは健康関連の情報を閲覧しながら、食事療法を検索したい病名や健康を維持するのに良いとされる食材、栄養素などの条件を入力・選択することにより、その条件に合った料理に関する情報を提供する。【解決手段】検索したい症状または病名が入力部１から入力されると、検索制御部２ａを介して医療情報検索部２ｂは、入力された症状または病名に該当する医療関連もしくは健康関連の情報と料理検索情報とを医療情報記憶部３から検索して読み出す。次に、読み出された医療関連もしくは健康関連の情報に応答する入力が入力部１から行われると、検索制御部２ａを介して料理情報検索部２ｃは、先程読み出した料理検索情報に該当する料理に関する情報を料理情報記憶部４から検索して読み出し、読み出した料理に関する情報を表示部５に表示する。【選択図】  図１
2004152016.tif 000002
【特許請求の範囲】
【請求項１】
医療関連もしくは健康関連の情報と料理検索情報とが対応付けられて格納されている第１記憶部と、
検索したい症状を入力するための入力部と、
作り方などの料理に関する情報が格納された第２記憶部と、
前記入力部から入力された症状に合った医療関連もしくは健康関連の情報と料理検索情報とを前記第１記憶部から検索して読み出すとともに、読み出した医療関連もしくは健康関連の情報に応答する入力が前記入力部から行われると、読み出した前記料理検索情報に該当する料理に関する情報を前記第２記憶部から検索して読み出す検索部と、
前記第１記憶部から読み出された医療関連もしくは健康関連の情報や、前記検索部より読み出された料理名とその作り方などの料理に関する情報を表示する表示部とを備えたことを特徴とする献立検索装置。
【請求項２】
医療関連もしくは健康関連の情報と料理検索情報とが対応付けられて格納されている第１記憶部と、
食事療法を検索したい病名を入力するための入力部と、
作り方などの料理に関する情報が格納された第２記憶部と、
前記入力部から入力された病名に合った医療関連もしくは健康関連の情報と料理検索情報とを前記第１記憶部から検索して読み出すとともに、読み出した医療関連もしくは健康関連の情報に応答する入力が前記入力部から行われると、読み出した前記料理検索情報に該当する料理に関する情報を前記第２記憶部から検索して読み出す検索部と、
前記第１記憶部から読み出された医療関連もしくは健康関連の情報や、前記検索部より読み出された料理名とその作り方などの料理に関する情報を表示する表示部とを備えたことを特徴とする献立検索装置。
【請求項３】
医療関連もしくは健康関連の情報と食材検索情報とが対応付けられて格納されている第１記憶部と、
検索したい症状の入力やその症状の改善に効果のある食材の中から検索したい食材を選択入力するための入力部と、
作り方などの料理に関する情報と食材検索情報とが対応付けられて格納されている第２記憶部と、
前記入力部から入力された症状に合った医療関連もしくは健康関連の情報と食材検索情報とを前記第１記憶部から検索して読み出すとともに、読み出した食材検索情報の中から前記入力部により選択入力された食材検索情報に合った料理に関する情報を前記第２記憶部から検索して読み出す検索部と、
前記第１記憶部から読み出された医療関連もしくは健康関連の情報や、前記検索部により読み出された料理名とその作り方などの料理に関する情報を表示する表示部とを備えたことを特徴とする献立検索装置。
【請求項４】
医療関連もしくは健康関連の情報と食材検索情報とが対応付けられて格納されている第１記憶部と、
食事療法を検索したい病名の入力やその病名の食事療法に有効な食材の中から検索したい食材を選択入力するための入力部と、
作り方などの料理に関する情報と食材検索情報とが対応付けられて格納されている第２記憶部と、
前記入力部から入力された病名に合った医療関連もしくは健康関連の情報と食材検索情報とを前記第１記憶部から検索して読み出すとともに、読み出した食材検索情報の中から前記入力部により選択入力された食材検索情報に合った料理に関する情報を前記第２記憶部から検索して読み出す検索部と、
前記第１記憶部から読み出された医療関連もしくは健康関連の情報や、前記検索部より読み出された料理名とその作り方などの料理に関する情報を表示する表示部とを備えたことを特徴とする献立検索装置。
【請求項５】
医療関連もしくは健康関連の情報と栄養素検索情報とが対応付けられて格納されている第１記憶部と、
検索したい症状の入力やその症状の改善に効果のある栄養素の中から検索したい栄養素を選択入力するための入力部と、
作り方など料理に関する情報と食材情報と食材の栄養素情報とが対応付けられて格納されている第２記憶部と、
前記入力部から入力された症状に合った医療関連もしくは健康関連の情報と栄養素検索情報とを前記第１記憶部から検索して読み出すとともに、読み出した栄養素検索情報の中から前記入力部により選択入力された栄養素検索情報に合った食材の料理に関する情報を前記第２記憶部から検索して読み出す検索部と、
前記第１記憶部から読み出された医療関連もしくは健康関連の情報や、前記検索部より読み出された料理名とその作り方などの料理に関する情報を表示する表示部とを備えたことを特徴とする献立検索装置。
【請求項６】
医療関連もしくは健康関連の情報と栄養素検索情報とが対応付けられて格納されている第１記憶部と、
食事療法を検索したい病名の入力やその病名の食事療法に有効な栄養素の中から検索したい栄養素を選択入力するための入力部と、
作り方などの料理に関する情報と食材情報と食材の栄養素情報とが対応付けられて格納されている第２記憶部と、
前記入力部から入力された病名に合った医療関連もしくは健康関連の情報と栄養素検索情報とを前記第１記憶部から検索して読み出すとともに、読み出した栄養素検索情報の中から前記入力部により選択入力された栄養素検索情報に合った食材の料理に関する情報を前記第２記憶部から検索して読み出す検索部と、
前記第１記憶部から読み出された医療関連もしくは健康関連の情報や、前記検索部より読み出された料理名とその作り方などの料理に関する情報を表示する表示部とを備えたことを特徴とする献立検索装置。
【請求項７】
医療関連もしくは健康関連の情報と栄養素検索情報とが対応付けられて格納されている第１記憶部と、
食事療法を検索したい症状を入力するための入力部と、
作り方などの料理に関する情報と食材情報と食材の栄養素に関する情報とが対応付けられて格納されている第２記憶部と、
前記入力部から入力された症状に合った医療関連もしくは健康関連の情報とその症状の改善に効果のある栄養素検索情報とを前記第１記憶部から検索して読み出すとともに、読み出した医療関連もしくは健康関連の情報に応答する入力が前記入力部から行われると、読み出した前記栄養素検索情報の栄養素を多く含む食材の料理に関する情報を前記第２記憶部から検索して読み出す検索部と、
前記第１記憶部から読み出された医療関連もしくは健康関連の情報や、前記検索部より読み出された料理名とその作り方などの料理に関する情報を表示する表示部とを備えたことを特徴とする献立検索装置。
【請求項８】
医療関連もしくは健康関連の情報と栄養素検索情報とが対応付けられて格納されている第１記憶部と、
食事療法を検索したい病名を入力するための入力部と、
作り方などの料理に関する情報と食材情報と食材の栄養素に関する情報とが対応付けられて格納されている第２記憶部と、
前記入力部から入力された病名の医療関連もしくは健康関連の情報とその病気の改善に効果のある栄養素検索情報を前記第１記憶部から検索して読み出すとともに、読み出した医療関連もしくは健康関連の情報に応答する入力が前記入力部から行われると、読み出した前記栄養素検索情報の栄養素を多く含む食材の料理に関する情報を前記第２記憶部から検索して読み出す検索部と、
前記第１記憶部から読み出された医療関連もしくは健康関連の情報や、前記検索部より読み出された料理名とその作り方などの料理に関する情報を表示する表示部とを備えたことを特徴とする献立検索装置。
【請求項９】
食事療法に有効な献立情報の検索を行う献立検索方法であって、
医療関連もしくは健康関連の情報と料理検索情報とが対応付けられて格納されている第１記憶部と、作り方などの料理に関する情報が格納された第２記憶部とを用い、
検索したい症状または病名が入力されると、入力された症状または病名に該当する医療関連もしくは健康関連の情報と料理検索情報とを前記第１記憶部から検索して読み出す段階と、
読み出された医療関連もしくは健康関連の情報に応答する入力が行われると、前記料理検索情報に該当する料理に関する情報を前記第２記憶部から検索して読み出す段階と、
読み出した料理に関する情報を表示する段階とを備えたことを特徴とする献立検索方法。
【請求項１０】
食事療法に有効な献立情報の検索を行う献立検索方法であって、
医療関連もしくは健康関連の情報と食材検索情報とが対応付けられて格納されている第１記憶部と、作り方などの料理に関する情報と食材検索情報とが対応付けられて格納されている第２記憶部とを用い、
検索したい症状または病名が入力されると、入力された症状または病名に合った食材検索情報を前記第１記憶部から検索して読み出す段階と、
読み出した食材検索情報の中からその症状または病名の改善に効果のある食材が選択入力されると、その選択入力された食材の料理に関する情報を前記第２記憶部から検索して読み出す段階と、
読み出した料理に関する情報を表示する段階とを備えたことを特徴とする献立検索方法。
【請求項１１】
食事療法に有効な献立情報の検索を行う献立検索方法であって、
医療関連もしくは健康関連の情報と栄養素検索情報とが対応付けられて格納されている第１記憶部と、作り方など料理に関する情報と食材情報と食材の栄養素情報とが対応付けられて格納されている第２記憶部とを用い、
検索したい症状または病名が入力されると、入力された症状または病名に合った栄養素検索情報を前記第１記憶部から検索して読み出す段階と、
読み出した栄養素検索情報の中からその症状または病名の改善に効果のある栄養素が選択入力されると、その選択入力された栄養素に合った食材の料理に関する情報を前記第２記憶部から検索して読み出す段階と、
読み出した料理に関する情報を表示する段階とを備えたことを特徴とする献立検索方法。
【請求項１２】
食事療法に有効な献立情報の検索を行う献立検索方法であって、
医療関連もしくは健康関連の情報と栄養素検索情報とが対応付けられて格納されている第１記憶部と、作り方などの料理に関する情報と食材情報と食材の栄養素に関する情報とが対応付けられて格納されている第２記憶部とを用い、
食事療法を検索したい症状または病名が入力されると、入力された症状または病名に合った医療関連もしくは健康関連の情報とその症状の改善に効果のある栄養素検索情報とを前記第１記憶部から検索して読み出す段階と、
読み出された医療関連もしくは健康関連の情報に応答する入力が行われると、読み出された前記栄養素検索情報の栄養素を多く含む食材の料理に関する情報を前記第２記憶部から検索して読み出す段階と、
読み出した料理名とその作り方などの料理に関する情報を表示する段階とを備えたことを特徴とする献立検索方法。
【請求項１３】
食事療法に有効な献立情報の検索を行うコンピュータ読み取り可能な献立検索プログラムであって、
医療関連もしくは健康関連の情報と料理検索情報とが対応付けられて格納されている第１記憶部と、作り方などの料理に関する情報が格納された第２記憶部とを用い、
検索したい症状または病名が入力されると、入力された症状または病名に該当する医療関連もしくは健康関連の情報と料理検索情報とを前記第１記憶部から検索して読み出すステップと、
読み出された医療関連もしくは健康関連の情報に応答する入力が行われると、前記料理検索情報に該当する料理に関する情報を前記第２記憶部から検索して読み出すステップと、
読み出した料理に関する情報を表示するステップとを備えたことを特徴とする献立検索プログラム。
【請求項１４】
食事療法に有効な献立情報の検索を行うコンピュータ読み取り可能な献立検索プログラムであって、
医療関連もしくは健康関連の情報と食材検索情報とが対応付けられて格納されている第１記憶部と、作り方などの料理に関する情報と食材検索情報とが対応付けられて格納されている第２記憶部とを用い、
検索したい症状または病名が入力されると、入力された症状または病名に合った食材検索情報を前記第１記憶部から検索して読み出すステップと、
読み出した食材検索情報の中からその症状または病名の改善に効果のある食材が選択入力されると、その選択入力された食材の料理に関する情報を前記第２記憶部から検索して読み出すステップと、
読み出した料理に関する情報を表示するステップとを備えたことを特徴とする献立検索プログラム。
【請求項１５】
食事療法に有効な献立情報の検索を行うコンピュータ読み取り可能な献立検索プログラムであって、
医療関連もしくは健康関連の情報と栄養素検索情報とが対応付けられて格納されている第１記憶部と、作り方など料理に関する情報と食材情報と食材の栄養素情報とが対応付けられて格納されている第２記憶部とを用い、
検索したい症状または病名が入力されると、入力された症状または病名に合った栄養素検索情報を前記第１記憶部から検索して読み出すステップと、
読み出した栄養素検索情報の中からその症状または病名の改善に効果のある栄養素が選択入力されると、その選択入力された栄養素に合った食材の料理に関する情報を前記第２記憶部から検索して読み出すステップと、
読み出した料理に関する情報を表示するステップとを備えたことを特徴とする献立検索プログラム。
【請求項１６】
食事療法に有効な献立情報の検索を行うコンピュータ読み取り可能な献立検索プログラムであって、
医療関連もしくは健康関連の情報と栄養素検索情報とが対応付けられて格納されている第１記憶部と、作り方などの料理に関する情報と食材情報と食材の栄養素に関する情報とが対応付けられて格納されている第２記憶部とを用い、
食事療法を検索したい症状または病名が入力されると、入力された症状または病名に合った医療関連もしくは健康関連の情報とその症状の改善に効果のある栄養素検索情報とを前記第１記憶部から検索して読み出すステップと、
読み出された医療関連もしくは健康関連の情報に応答する入力が行われると、読み出された前記栄養素検索情報の栄養素を多く含む食材の料理に関する情報を前記第２記憶部から検索して読み出すステップと、
読み出した料理名とその作り方などの料理に関する情報を表示するステップとを備えたことを特徴とする献立検索プログラム。
【請求項１７】
前記請求項１３ないし請求項１６のいずれかに記載の献立検索プログラムを記録したコンピュータ読み取り可能な記録媒体。
【発明の詳細な説明】
【０００１】
【発明の属する技術分野】
本発明は、料理情報が格納されたデータベースの中から、医療情報が格納されているデータベース内の情報を用いて食事療法に有効な献立データの検索を行う献立検索装置、献立検索方法、献立検索プログラム及び献立検索プログラムを記録した記録媒体に関する。
【０００２】
【従来技術】
従来、食事療法から献立メニューを検索する手法として種々の方法が提案されている。
【０００３】
例えば、入力された病名に応じて献立データを検索し、病名に適応した献立メニューを出力する手段と、入力された病状を記憶する患者病状履歴記憶手段とを設け、患者病状履歴記憶手段の読み出し内容に応じて献立メニューを検索するように構成された食事療法管理装置が提案されている（例えば、特許文献１参照）。
【０００４】
また、推奨メニュー入力手段から推奨メニューに関するデータが入力されたとき、第１の専門知識格納手段に格納されている専門知識に従って有効なメニューのみが保存される一方、ユーザ情報入力手段から食事に関する希望条件が入力されたときには、第２の専門知識格納手段に格納されている専門知識に従って適当なメニューが抽出されるように構成された食事メニュー作成支援装置が提案されている（例えば、特許文献２参照）。
【０００５】
これらの装置によれば、病名を入力することによってその病気の食事療法にふさわしいメニューが自動的に生成されるので、病人が医師の指示の元に使用する分には十分効果的であると言える。
【０００６】
【特許文献１】
特開平１−３０９１６４号公報
【特許文献２】
特開昭６３−８９６４号公報
【０００７】
【発明が解決しようとする課題】
しかし、近年になって、食事療法といっても病気になってから食事療法を行うのではなく、健康な人でも病気にならないよう普段から食事に気を配ったり、健康を維持するのに良いとされる食材を用いた料理を作ったりする人が増えてきている。このような健康な一般の人々にとっては、上述したような病気の説明もなくただ病名を入力し、検索する方法や、自分の健康状態を毎日記録していかなければならない方法は、使いづらく、かつ煩雑な方法であった。
【０００８】
本発明は係る問題点を解決すべく創案されたもので、その目的は、一般の人々でも体によい食事の作り方を簡単に検索できる献立検索装置、献立検索方法、献立検索プログラム及び献立検索プログラムを記録した記録媒体を提供するものである。
【０００９】
【課題を解決しようとする手段】
本発明の献立検索装置及び献立検索方法は、医療関連もしくは健康関連の情報と料理検索情報とが対応付けられて格納されている第１記憶部と、作り方などの料理に関する情報が格納された第２記憶部とを用い、入力部から検索したい症状または病名が入力されると、検索部は、入力された症状または病名に該当する医療関連もしくは健康関連の情報と料理検索情報とを前記第１記憶部から検索して読み出す。そして、読み出された医療関連もしくは健康関連の情報に応答する入力が入力部から行われると、検索部は、先に読み出した料理検索情報に該当する料理に関する情報を前記第２記憶部から検索して読み出す。そして、読み出した料理に関する情報を表示部に表示する。
【００１０】
本発明によれば、ユーザが検索したい症状または病名を入力すると、その症状または病名に合った医療関連情報が表示部に表示され、その表示された医療関連情報に応答する入力をユーザが行うだけで、最初に入力した症状または病名に合った料理に関する情報が表示される。これにより、検索したい症状や病名から、その症状や病名に合った最適な料理に関する情報を簡単に検索することができる。
【００１１】
また、本発明の献立検索装置及び献立検索方法は、医療関連もしくは健康関連の情報と食材検索情報とが対応付けられて格納されている第１記憶部と、作り方などの料理に関する情報と食材検索情報とが対応付けられて格納されている第２記憶部とを用い、入力部から検索したい症状または病名が入力されると、検索部は、入力された症状または病名に合った食材検索情報を前記第１記憶部から検索して読み出す。そして、読み出した食材検索情報の中からその症状または病名の改善に効果のある食材が入力部から選択入力されると、検索部は、その選択入力された食材の料理に関する情報を前記第２記憶部から検索して読み出す。そして、読み出した料理に関する情報を表示部に表示する。
【００１２】
本発明によれば、ユーザが検索したい症状または病名を入力すると、その症状または病名に合った食材検索情報が表示部に表示される。ユーザは、その表示された食材検索情報の中から、その症状または病名の改善に効果のある食材を選択入力するだけで、最初に入力した症状または病名に合った料理に関する情報が表示される。これにより、検索したい症状や病名から、その症状や病名の改善に効果のある食材の料理に関する情報を簡単に検索することができる。
【００１３】
また、本発明の献立検索装置及び献立検索方法は、医療関連もしくは健康関連の情報と栄養素検索情報とが対応付けられて格納されている第１記憶部と、作り方など料理に関する情報と食材情報と食材の栄養素情報とが対応付けられて格納されている第２記憶部とを用い、入力部から検索したい症状または病名が入力されると、検索部は、入力された症状または病名に合った栄養素検索情報を前記第１記憶部から検索して読み出す。そして、読み出した栄養素検索情報の中からその症状または病名の改善に効果のある栄養素が入力部から選択入力されると、検索部は、その選択入力された栄養素に合った食材の料理に関する情報を前記第２記憶部から検索して読み出す。そして、読み出した料理に関する情報を表示部に表示する。
【００１４】
本発明によれば、ユーザが検索したい症状または病名を入力すると、その症状または病名に合った栄養素検索情報が表示部に表示される。ユーザは、その表示された栄養素検索情報の中から、その症状または病名の改善に効果のある栄養素を選択入力するだけで、最初に入力した症状または病名に合った料理に関する情報が表示される。これにより、検索したい症状や病名から、その症状や病名の改善に効果のある栄養素を含む食材の料理に関する情報を簡単に検索することができる。
【００１５】
また、本発明の献立検索装置及び献立検索方法は、医療関連もしくは健康関連の情報と栄養素検索情報とが対応付けられて格納されている第１記憶部と、作り方などの料理に関する情報と食材情報と食材の栄養素に関する情報とが対応付けられて格納されている第２記憶部とを用い、食事療法を検索したい症状または病名が入力部から入力されると、検索部は、入力された症状または病名に合った医療関連もしくは健康関連の情報とその症状の改善に効果のある栄養素検索情報とを前記第１記憶部から検索して読み出すとともに、読み出された医療関連もしくは健康関連の情報に応答する入力が入力部から行われると、読み出された前記栄養素検索情報の栄養素を多く含む食材の料理に関する情報を前記第２記憶部から検索して読み出す。そして、読み出した料理名とその作り方などの料理に関する情報を表示部に表示する。
【００１６】
本発明によれば、ユーザが検索したい症状または病名を入力すると、その症状または病名に合った医療関連情報が表示部に表示され、その表示された医療関連情報に応答する入力をユーザが行うだけで、最初に入力した症状または病名に合った栄養素を多く含む食材の料理に関する情報が表示される。これにより、検索したい症状や病名から、その症状や病名に合った栄養素を多く含む食材の料理に関する情報を簡単に検索することができる。
【００１７】
【発明の実施の形態】
以下、本発明の実施の形態について、図面を参照して説明する。
【００１８】
［実施の形態１］
図１は、本発明の献立検索装置の実施の形態１を示すシステム構成図である。
【００１９】
この献立検索装置は、検索したい症状または病名やその症状または病名に有効な食材を入力するための入力部１と、医療関連もしくは健康関連の情報と料理検索情報とが格納された医療情報記憶部３と、料理の作り方など料理に関する情報が格納された料理情報記憶部４と、入力部１から入力された条件に合った情報を医療情報記憶部３や料理情報記憶部４から検索して読み出す検索部２と、検索部２より読み出された医療情報や料理情報を表示する表示部５とを備えている。
【００２０】
検索部２は、検索制御部２ａと医療情報検索部２ｂと料理情報検索部２ｃとから構成されている。
【００２１】
検索制御部２ａは、医療情報検索部２ｂ、料理情報検索部２ｃ及び表示部５の制御を行い、入力部１から入力された条件を医療情報検索部２ｂに送り、医療情報検索部２ｂから受け取った医療表示情報を表示部５に表示し、料理検索情報を料理情報検索部２ｃに送る。また、検索制御部２ａは、料理情報検索部２ｃから受け取った料理表示情報を表示部５に表示する。
【００２２】
医療情報検索部２ｂは、検索制御部２ａから受け取った症状や病名から、関連する症状や病名を検索して、それに付随する医療表示情報と料理検索情報とを医療情報記憶部３から読み出す。また、料理情報検索部２ｃは、検索制御部２ａから受け取った料理検索情報を検索して、それに付随する料理表示情報を検索制御部２ａに送る。
【００２３】
次に、上記構成の献立検索装置を用いた各種検索処理の実施例について説明する。
【００２４】
＜実施例１＞
本実施例１の料理検索処理について、図１に示すシステム構成図、図２に示す医療情報記憶部３に記憶されている医療関連情報、及び図３に示す料理情報記憶部４に記憶されている料理情報を参照して説明する。
【００２５】
医療情報記憶部３には、図２に示すように、各種症状と、医療関連もしくは健康関連の情報（ここでは、医療表示情報という）と、料理検索情報とが対応付けられて格納されている。例えば、症状「夏バテ」に対して、その夏バテに対する対策が医療表示情報に格納されており、夏バテに効果のある料理の検索情報として「１」が格納されている。
【００２６】
また、料理情報記憶部４には、図３に示すように、医療情報記憶部３の料理検索情報に対応した検索情報と、料理表示情報とが対応付けられて格納されており、料理表示情報は、料理名、材料、作り方、カロリーの各項目からなる。
【００２７】
上記構成において、ユーザは、入力部１から検索したい症状を検索制御部２ａに入力すると、検索制御部２ａは、入力部１から入力された条件（症状）を医療情報検索部２ｂへ送る。
【００２８】
医療情報検索部２ｂは、受け取った情報に基づいて医療情報記憶部３を検索する。そして、該当する情報を見つけると、それに付随する医療表示情報と、料理を検索するために必要な料理検索情報とを読み出して検索制御部２ａに送る。
【００２９】
検索制御部２ａは、受け取った医療表示情報を表示部５に表示する。
【００３０】
ここで、ユーザが、検索した症状の改善に効果のある料理を検索する意味を持つある特定の操作を行うと、検索制御部２ａは、先程読み出した料理検索情報を料理情報検索部２ｃに送る。
【００３１】
料理情報検索部２ｃは、送られてきた料理検索情報に基づいて料理情報記憶部４を検索し、該当する料理を見つけると、その料理名とそれに付随する料理表示情報とを読み出して検索制御部２ａに送る
検索制御部２ａは、料理情報検索部２ｃから送られてきた料理名とそれに付随する料理表示情報とを表示部５に表示する。
【００３２】
次に、上記実施例１の料理検索処理の具体例について、図４及び図５に示す料理検索画面例を参照して説明する。
【００３３】
例えば、ユーザが「夏バテ」の症状について検索を行いたい場合、まずユーザは、入力部１から「夏バテ」の項目を入力する。ただし、図示は省略しているが、この入力は、表示部５に表示された症状一覧から「夏バテ」の項目を選択することで行ってもよい。
【００３４】
検索制御部２ａは、この入力部１からの入力を受けて、医療情報検索部２ｂへ「夏バテ」を検索する信号を送る。
【００３５】
医療情報検索部２ｂは、図２に示す情報を格納している医療情報記憶部３から「夏バテ」に関する医療表示情報と、夏バテの改善に効果のある料理に関する料理検索情報「１」とを読み出して検索制御部２ａに送る。
【００３６】
検索制御部２ａは、受け取った情報のうち医療表示情報を表示部５に表示する（図４参照）。
【００３７】
ここで、ユーザがある特定のキー操作（本実施例１では画面上の「切替キー」を押す操作となっているが、例えば「ジャンプボタン」を押すなどの操作でもよい）を行った場合、検索制御部２ａは、先程受け取った料理検索情報「１」を料理情報検索部２ｃに送る。
【００３８】
料理情報検索部２ｃは、図３に示す情報を格納している料理情報記憶部４から、料理検索情報に「１」を含む情報を検索し、夏バテの改善に効果のある料理に該当する「ウナギと夏野菜の中国風いため物」と「ウナギと茄子のいため物」の料理表示情報を検索制御部２ａに送る。
【００３９】
これにより、検索制御部２ａは、図５（ａ）に示すような検索結果を表示部５に表示する。
【００４０】
ここで、ユーザが、「ウナギと夏野菜の中国風いため物」を選択すると、表示部５には、図５（ｂ）に示すように、「ウナギと夏野菜の中国風いため物」の料理に関する情報が表示される。
【００４１】
以上の処理動作は、図６に示すフローチャートに従って処理される。
【００４２】
次に、図６に示すフローチャートを参照して、上記処理動作を再度説明する。
【００４３】
ステップＳ１１では、ユーザが入力部１から検索したい症状として「夏バテ」を入力する。
【００４４】
ステップＳ１２では、医療情報記憶部３（図２参照）より「夏バテ」に関する情報を検索しステップＳ１３へ進む。
【００４５】
ステップＳ１３では、入力条件「夏バテ」に該当する情報が検索されたか否かを判断する。その結果、該当する情報がない場合（Ｎｏと判断された場合）には処理を終了し、該当する情報がある場合（Ｙｅｓと判断された場合）には、ステップＳ１４へ進む。
【００４６】
ステップＳ１４では、医療情報検索部２ｂが、「夏バテ」の医療表示情報と料理検索情報とを検索して検索制御部２ａへ送り、ステップＳ１５へ進む。
【００４７】
ステップＳ１５では、検索制御部２ａが「夏バテ」の医療表示情報を出力して表示部５に表示する（図４参照）。
【００４８】
次に、ステップＳ１６では、「夏バテ」の料理検索情報が存在するか否かを判断し、存在しない場合（Ｎｏと判断された場合）は処理を終了し、存在する場合（Ｙｅｓと判断された場合）にはステップＳ１７へ進む。
【００４９】
ステップＳ１７では、ユーザに「夏バテ」の改善に効果のある料理の料理情報を表示させるか否かを求める。その結果、「夏バテ」の改善に効果のある料理の料理情報を表示しない場合（ユーザが、図４に示す検索画面の「切替キー」を押す操作を行わなかった場合）は処理を終了する。一方、「夏バテ」の改善に効果のある料理を表示する場合（ユーザが、図４に示す検索画面の「切替キー」を押す操作を行った場合）はステップＳ１８へ進み、検索制御部２ａは「夏バテ」の料理検索情報「１」を料理情報検索部２ｃへ送る。料理情報検索部２ｃは、料理情報記憶部４（図３参照）より料理検索情報「１」を含む料理に関する情報を検索し、ステップＳ１９へ進む。
【００５０】
ステップＳ１９では、「夏バテ」の料理検索情報「１」に該当する情報が検索されたか否かを判断する。その結果、該当する情報がない場合（Ｎｏと判断された場合）には処理を終了する。ただし、この場合には該当する情報があるので（Ｙｅｓと判断されるので）、この場合にはステップＳ２０へ進む。
【００５１】
ステップＳ２０では、料理情報検索部２ｃが検索結果として「ウナギの夏野菜の中華風いため物」、「ウナギと茄子のいため物」の料理表示情報を読み出し、検索制御部２ａに送り、ステップ２１へ進む。
【００５２】
ステップＳ２１では、検索結果として「ウナギと夏野菜の中華風いため物」、「ウナギと茄子のいため物」の情報を表示部５に表示して処理を終了する（図５（ａ），（ｂ）参照）。
【００５３】
＜実施例２＞
本実施例２の料理検索処理について、図１に示すシステム構成図、図７に示す医療情報記憶部３に記憶されている医療関連情報、及び図８に示す料理情報記憶部４に記憶されている料理情報を参照して説明する。
【００５４】
医療情報記憶部３には、図７に示すように、各種病名と、医療関連もしくは健康関連の情報（ここでは、医療表示情報という）と、料理検索情報とが対応付けられて格納されている。例えば、病名「糖尿病」に対して、その糖尿病に対する対策が医療表示情報に格納されており、糖尿病に効果のある料理の検索情報として「１」が格納されている。
【００５５】
また、料理情報記憶部４には、図８に示すように、医療情報記憶部３の料理検索情報に対応した検索情報と、料理表示情報とが対応付けられて格納されており、料理表示情報は、料理名、材料、作り方、カロリーの各項目からなる。
【００５６】
上記構成において、ユーザは、入力部１から検索したい病名を検索制御部２ａに入力すると、検索制御部２ａは、入力部１から入力された条件（病名）を医療情報検索部２ｂへ送る。
【００５７】
医療情報検索部２ｂは、受け取った情報に基づいて医療情報記憶部３を検索する。そして、該当する情報を見つけると、それに付随する医療表示情報と、料理を検索するために必要な料理検索情報とを読み出して検索制御部２ａに送る。
【００５８】
検索制御部２ａは、受け取った医療表示情報を表示部５に表示する。
【００５９】
ここで、ユーザが、検索した病名の改善に効果のある料理を検索する意味を持つある特定の操作を行うと、検索制御部２ａは、先程読み出した料理検索情報を料理情報検索部２ｃに送る。
【００６０】
料理情報検索部２ｃは、送られてきた料理検索情報に基づいて料理情報記憶部４を検索し、該当する料理を見つけると、その料理名とそれに付随する料理表示情報とを読み出して検索制御部２ａに送る
検索制御部２ａは、料理情報検索部２ｃから送られてきた料理名とそれに付随する料理表示情報とを表示部５に表示する。
【００６１】
次に、上記実施例２の料理検索処理の具体例について、図９及び図１０に示す料理検索画面例を参照して説明する。
【００６２】
例えば、「糖尿病」について検索を行いたい場合、まずユーザは、入力部１から「糖尿病」の項目を入力する。ただし、図示は省略しているが、この入力は、表示部５に表示された病名一覧から「糖尿病」の項目を選択することで行ってもよい。
【００６３】
検索制御部２ａは、この入力部１からの入力を受けて、医療情報検索部２ｂへ「糖尿病」を検索する信号を送る。
【００６４】
医療情報検索部２ｂは、図７に示す情報を格納している医学情報記憶部３から「糖尿病」に関する医療表示情報と料理検索情報とを読み出し、検索制御部２ａに送る。
【００６５】
検索制御部２ａは、受け取った情報のうち医療表示情報を表示部５に表示させる。（  図９参照）。
【００６６】
ここで、ユーザがある特定のキー操作（本実施例２では画面上の「切替キー」を押す操作となっているが、例えば「ジャンプボタン」を押すなどの操作でもよい）を行った場合、検索制御部２ａは、先程受け取った料理検索情報「１」を料理情報検索部２ｃに送る。
【００６７】
料理情報検索部２ｃは、図８に示す情報を格納している料理情報記憶部４から、料理検索情報に「１」を含む情報を検索し、「糖尿病」の食事療法に該当する「鮭の和風スープ」と「あじのしょうが煮」の料理表示情報を検索制御部２ａに送る。これにより、検索制御部２ａは、図１０（ａ）に示すような検索結果を表示部５に表示する
ここで、ユーザが、「鮭の和風スープ」を選択すると、表示部５には、図１０（ｂ）に示すように、「鮭の和風スープ」の料理に関する情報が表示される。
【００６８】
以上の処理動作は、上記実施例１で説明した図６に示すフローチャートとほぼ同様の手順に従って処理される。違うところは、実施例１ではステップＳ１２で症状に対応する情報を検索しているのに対し、本実施例２では病名に対応する情報を検索している点のみである。
【００６９】
＜実施例３＞
本実施例３の料理検索処理について、図１に示すシステム構成図、図１１に示す医療情報記憶部３に記憶されている医療関連情報、及び図１２に示す料理情報記憶部４に記憶されている料理情報を参照して説明する。
【００７０】
医療情報記憶部３には、図１１に示すように、各種症状と、医療関連もしくは健康関連の情報（ここでは、医療表示情報という）と、食材検索情報とが対応付けられて格納されている。例えば、症状「夏バテ」に対して、その夏バテに対する対策が医療表示情報に格納されており、夏バテに効果のある食材の検索情報として「バナナ、にんにく、うなぎ」が格納されている。
【００７１】
また、料理情報記憶部４には、図１２に示すように、医療情報記憶部３の食材検索情報に対応した食材情報と、料理表示情報とが対応付けられて格納されており、料理表示情報は、料理名、材料、作り方、カロリーの各項目からなる。
【００７２】
上記構成において、ユーザは、入力部１から検索したい症状を検索制御部２ａに入力すると、検索制御部２ａは、入力部１から入力された条件（症状）を医療情報検索部２ｂへ送る。
【００７３】
医療情報検索部２ｂは、受け取った情報に基づいて医療情報記憶部３を検索する。そして、該当する情報を見つけると、それに付随する医療表示情報とその症状改善に効果のある食材検索情報とを読み出して、検索制御部２ａに送る。
【００７４】
検索制御部２ａは、受け取った医療表示情報を表示部５に表示する。
【００７５】
ここで、ユーザがその症状改善に効果のある食材の一つを選択すると、検索制御部２ａは、料理情報検索部２ｃに選択された食材検索情報を送る。
【００７６】
料理情報検索部２ｃは、送られてきた食材検索情報に基づいて料理情報記憶部４を検索し、該当する料理を見つけると、その料理名とそれに付随する料理表示情報とを読み出して、検索制御部２ａに送る
検索制御部２ａは、料理情報検索部２ｃから送られてきた料理名とそれに付随する料理表示情報を表示部５に表示する。
【００７７】
次に、上記実施例３の料理検索処理の具体例について、図１３及び図１４に示す料理検索画面例を参照して説明する。
【００７８】
例えば、ユーザが「夏バテ」について検索を行いたい場合、まずユーザは、入力部１から「夏バテ」の項目を入力する。ただし、図示は省略しているが、この入力は、表示部５に表示された症状一覧から「夏バテ」の項目を選択することで行ってもよい。
【００７９】
検索制御部２ａは、この入力部１からの入力を受けて、医療情報検索部２ｂへ「夏バテ」を検索する信号を送る。
【００８０】
医療情報検索部２ｂは、図１１に示す情報を格納している医療情報記憶部３から「夏バテ」に関する医療表示情報とその症状改善に効果のある食材検索情報とを読み出して、検索制御部２ａに送る。
【００８１】
検索制御部２ａは、受け取った情報のうち医療表示情報を表示部５に表示させる（図１３参照）。
【００８２】
ここで、ユーザが、その症状改善に効果のある食材の一つである「うなぎ」を選択すると、検索制御部２ａは、料理情報検索部２ｃに「夏バテ」改善に効果のある食材検索情報「うなぎ」を送る。
【００８３】
料理情報検索部２ｃは、図１２に示す情報を格納している料理情報記憶部４から、食材情報に「うなぎ」を含む情報を検索し、「夏バテ」改善に効果のある料理として「ウナギと夏野菜の中華風いため物」と「ウナギと茄子のいため物」の料理表示情報を検索制御部２ａに送る。これにより、検索制御部２ａは、図１４（ａ）に示されるような検索結果を表示部５に表示する。
【００８４】
ここで、ユーザが、「ウナギと夏野菜の中華風いため物」を選択すると、表示部５には、図１４（ｂ）に示すように、「ウナギと夏野菜の中華風いため物」の料理に関する情報が表示される。
【００８５】
以上の処理動作は、図１５に示すフローチャートに従って処理される。
【００８６】
次に、図１５に示すフローチャートを参照して、上記処理動作を再度説明する。
【００８７】
ステップＳ３１では、ユーザが入力部１から検索したい症状として「夏バテ」を入力する。
【００８８】
ステップＳ３２では、医療情報記憶部３（図１１参照）より「夏バテ」に関する情報を検索しステップＳ３３へ進む。
【００８９】
ステップＳ３３では、入力条件「夏バテ」に該当する情報が検索されたか否かを判断する。その結果、該当する情報がない場合（Ｎｏと判断された場合）には処理を終了し、該当する情報がある場合（Ｙｅｓと判断された場合）にはステップＳ３４へ進む。
【００９０】
ステップＳ３４では、医療情報検索部２ｂが、「夏バテ」の医療表示情報とその症状改善に効果のある食材の食材検索情報とを検索制御部２ａへ送りステップＳ３５へ進む。
【００９１】
ステップＳ３５では、検索制御部２ａが「夏バテ」の医療表示情報を出力して表示部５に表示する（図１３参照）。
【００９２】
次に、ステップＳ３６では、「夏バテ」の「食材検索情報」が存在するか否かを判断する。その結果、存在しない場合（Ｎｏと判断された場合）には処理を終了し、存在する場合（Ｙｅｓと判断された場合）にはステップＳ３７へ進む。
【００９３】
ステップＳ３７では、ユーザに対してその症状改善に効果のある食材の選択を求める。その結果、ユーザが、その症状改善に効果のある食材の選択をしない場合は処理を終了する。一方、ユーザが、その症状改善に効果のある食材の一つである例えば「うなぎ」を選択した場合にはステップＳ３８へ進み、検索制御部２ａは「夏バテ」改善に効果のある食材である「うなぎ」の食材検索情報を料理情報検索部２ｃへ送り、料理情報検索部２ｃは、料理情報記憶部４（図１２参照）より食材情報に「うなぎ」を含む料理に関する情報を検索し、ステップＳ３９へ進む。
【００９４】
ステップＳ３９では、食材情報に「うなぎ」を含む料理に該当する情報が検索されたか否かを判断する。その結果、該当する情報がない場合には処理を終了し、該当する情報がある場合にはステップＳ４０へ進む。
【００９５】
ステップＳ４０では、料理情報検索部２ｃは検索結果として「ウナギと夏野菜の中華風いため物」と「ウナギと茄子のいため物」の料理表示情報を読み出し、検索制御部２ａに送り、ステップＳ４１へ進む。
【００９６】
ステップＳ４１では、検索結果として「ウナギと夏野菜の中華風いため物」、「ウナギと茄子のいため物」の情報を表示部５に表示して処理を終了する（図１４（ａ），（ｂ）参照）。
【００９７】
＜実施例４＞
本実施例４の料理検索処理について、図１に示すシステム構成図、図１６に示す医療情報記憶部３に記憶されている医療関連情報、及び図１７に示す料理情報記憶部４に記憶されている料理情報を参照して説明する。
【００９８】
医療情報記憶部３には、図１６に示すように、各種病名と、医療関連もしくは健康関連の情報（ここでは、医療表示情報という）と、食材検索情報とが対応付けられて格納されている。例えば、症状「糖尿病」に対して、その糖尿病に対する対策が医療表示情報に格納されており、糖尿病に効果のある食材の検索情報として「カキ、小松菜、胚芽米、にんじん」が格納されている。
【００９９】
また、料理情報記憶部４には、図１７に示すように、医療情報記憶部３の食材検索情報に対応した食材情報と、料理表示情報とが対応付けられて格納されており、料理表示情報は、料理名、材料、作り方、カロリーの各項目からなる。
【０１００】
上記構成において、ユーザは、入力部１から検索したい病名を検索制御部２ａに入力すると、検索制御部２ａは、入力部１から入力された条件（病名）を医療情報検索部２ｂへ送る。
【０１０１】
医療情報検索部２ｂは、受け取った情報に基づいて医療情報記憶部３を検索する。そして、該当する情報を見つけると、それに付随する医療表示情報とその病名の症状改善に効果のある食材検索情報とを読み出して、検索制御部２ａに送る。
【０１０２】
検索制御部２ａは、受け取った医療表示情報を表示部５に表示する。
【０１０３】
ここで、ユーザがその病名の症状改善に効果のある食材の一つを選択すると、検索制御部２ａは、料理情報検索部２ｃに選択された食材検索情報を送る。
【０１０４】
料理情報検索部２ｃは、送られてきた食材検索情報に基づいて料理情報記憶部４を検索し、該当する料理を見つけると、その料理名とそれに付随する料理表示情報とを読み出して、検索制御部２ａに送る。
【０１０５】
検索制御部２ａは、料理情報検索部２ｃから送られてきた料理名とそれに付随する料理表示情報を表示部５に表示する。
【０１０６】
次に、上記実施例４の料理検索処理の具体例について、図１８及び図１９に示す料理検索画面例を参照して説明する。
【０１０７】
例えば、ユーザが「高血圧」について検索を行いたい場合、まずユーザは、入力部１から「高血圧」の項目を入力する。ただし、図示は省略しているが、この入力は、表示部５に表示された病名一覧から「高血圧」の項目を選択することで行ってもよい。
【０１０８】
検索制御部２ａは、この入力部１からの入力を受けて、医療情報検索部２ｂへ「高血圧」を検索する信号を送る。
【０１０９】
医療情報検索部２ｂは、図１６に示す情報を格納している医療情報記憶部３から「高血圧」に関する医療表示情報とその症状改善に効果のある食材検索情報とを読み出し、検索制御部２ａに送る。
【０１１０】
検索制御部２ａは、受け取った情報のうち医療表示情報を表示部５に表示させる（図１８参照）。
【０１１１】
ここで、ユーザが、その症状改善に効果のある食材の一つである「あじ」を選択すると、検索制御部２ａは、料理情報検索部２ｃに「高血圧」の食事療法に有効な食材検索情報「あじ」を送る。
【０１１２】
料理情報検索部２ｃは、図１７に示す情報を格納している料理情報記憶部４から、食材情報に「あじ」を含む情報を検索し、「高血圧」の食事療法に有効である料理として「あじのしょうが煮」と「あじのねぎとろ蒸し」の料理表示情報を検索制御部２ａに送る。これにより、検索制御部２ａは、図１９（ａ）に示すような検索結果を表示部５に表示する。
【０１１３】
ここで、ユーザが、「あじのしょうが煮」を選択すると、表示部５には、図１９（ｂ）に示すように、「あじのしょうが煮」の料理に関する情報が表示される。
【０１１４】
以上の処理動作は、上記実施例３で説明した図１５に示すフローチャートとほぼ同様の手順に従って処理される。違うところは、実施例３ではステップＳ３２で症状に対応する情報を検索しているのに対し、本実施例４では病名に対応する情報を検索している点のみである。
【０１１５】
［実施の形態２］
図２０は、本発明の献立検索装置の実施の形態２を示すシステム構成図である。
【０１１６】
この献立検索装置は、検索したい症状または病名やその症状または病名に有効な食材や栄養素を入力するための入力部５１と、医療関連もしくは健康関連の情報と料理検索情報とが格納された医療情報記憶部５３と、料理の作り方など料理に関する情報が格納された料理関連情報記憶部５４と、入力部５１から入力された条件に合った情報を医療情報記憶部５３や料理関連情報記憶部５４から検索して読み出す検索部５２と、検索部５２より読み出された医療情報や料理情報を表示する表示部５５とを備えている。
【０１１７】
検索部５２は、検索制御部５２ａと医療情報検索部５２ｂと料理情報検索部５２ｃとから構成されている。また、料理関連情報記憶部５４は、料理情報記憶部５４ａと食材情報記憶部５４ｂとから構成されている。
【０１１８】
検索制御部５２ａは、医療情報検索部５２ｂ、料理情報検索部５２ｃ及び表示部５５の制御を行い、入力部５１から入力された条件を医療情報検索部５２ｂに送り、医療情報検索部５２ｂから受け取った医療表示情報を表示部５５に表示する。また、検索制御部５２ａは、選択された栄養素検索情報を料理情報検索部５２ｃに送り、料理情報検索部５２ｃから受け取った料理表示情報を表示部５５に表示する。
【０１１９】
医療情報検索部５２ｂは、検索制御部５２ａから受け取った症状や病名から、関連する症状や病名を検索して、それに付随する医療表示情報とその症状や病名の改善に効果のある栄養素検索情報を医療情報記憶部５３から読み出す。また、料理情報検索部５２ｃは、検索制御部５２ａから受け取った栄養素検索情報を食材情報記憶部５４ｂの中より検索し、読み出された食材情報を料理情報記憶部５４ａから検索して、それに付随する料理表示情報を検索制御部５２ａに送る。
【０１２０】
次に、上記構成の献立検索装置を用いた各種検索処理の実施例について、上記実施の形態１の実施例に引き続いて説明する。
【０１２１】
＜実施例５＞
本実施例５の料理検索処理について、図２０に示すシステム構成図、図２１に示す医療情報記憶部５３に記憶されている医療関連情報、図２２に示す食材情報記憶部５４ｂにに記憶されている食材情報、及び図２３に示す料理情報記憶部５４ａに記憶されている料理情報を参照して説明する。
【０１２２】
医療情報記憶部５３には、図２１に示すように、各種症状と、医療関連もしくは健康関連の情報（ここでは、医療表示情報という）と、栄養素検索情報とが対応付けられて格納されている。例えば、症状「夏バテ」に対して、その夏バテに対する対策が医療表示情報に格納されており、夏バテに効果のある栄養素検索情報として「たんぱく質、ビタミンＢ１、ビタミンＣ」が格納されている。
【０１２３】
また、食材情報記憶部５４ｂには、図２２に示すように、食材情報と、これに含まれる各栄養素（カロリー、たんぱく質、ビタミンＢ１、ビタミンＣ等）の含有量が格納されている。
【０１２４】
また、料理情報記憶部５４ａには、図２３に示すように、医療情報記憶部５３の食材情報に対応した食材情報と、料理表示情報とが対応付けられて格納されており、料理表示情報は、料理名、材料、作り方、カロリーの各項目からなる。
【０１２５】
上記構成において、ユーザは、入力部５１から検索したい症状を検索制御部５２ａに入力すると、検索制御部５２ａは、入力部５１から入力された条件（症状）を医療情報検索部５２ｂへ送る。
【０１２６】
医療情報検索部５２ｂは、受け取った情報に基づいて医療情報記憶部５３を検索し、該当する情報を見つけると、それに付随する医療表示情報とその症状改善に効果のある栄養素検索情報とを読み出して、検索制御部５２ａに送る。
【０１２７】
検索制御部５２ａは、受け取った医療表示情報を表示部５５に表示する。
【０１２８】
ここで、ユーザが、その症状改善に効果のある栄養素の一つを選択すると、検索制御部５２ａは、選択された栄養素検索情報を料理情報検索部５２ｃに送る。
【０１２９】
料理情報検索部５２ｃは、送られてきた栄養素検索情報に基づいて食材情報記憶部５４ｂを検索し、該当する栄養素を一番多く含む食材情報、もしくは上位の複数の食材情報を読み出す。そして、読み出した食材情報に基づいて料理情報記憶部５４ａを検索し、該当する料理を見つけると、その料理名とそれに付随する料理表示情報を読み出して検索制御部５２ａに送る。
【０１３０】
検索制御部５２ａは、料理情報検索部５２ｃから送られてきた料理名とそれに付随する料理表示情報とを表示部５５に表示する。
【０１３１】
次に、上記実施例５の料理検索処理の具体例について、図２４及び図２５に示す料理検索画面例を参照して説明する。
【０１３２】
例えば、ユーザが「夏バテ」について検索を行いたい場合、まずユーザは、入力部５１から「夏バテ」の項目を入力する。ただし、図示は省略しているが、この入力は、表示部５５に表示された症状一覧から「夏バテ」の項目を選択することで行ってもよい。
【０１３３】
検索制御部５２ａは、入力部５１からの入力を受けて医療情報検索部５２ｂへ「夏バテ」を検索する信号を送る。
【０１３４】
医療情報検索部５２ｂは、図２１に示す情報を格納している医療情報記憶部５３から「夏バテ」に関する医療表示情報とその症状改善に効果のある栄養素検索情報とを読み出して検索制御部５２ａに送る。
【０１３５】
検索制御部５２ａは、受け取った情報のうち医療表示情報を表示部５５に表示させる（図２４参照）。
【０１３６】
ここで、ユーザが、その症状改善に効果のある栄養素の一つである「ビタミンＢ１」を選択すると、検索制御部５２ａは、料理情報検索部５２ｃに「夏バテ」改善に効果のある栄養素検索情報「ビタミンＢ１」を送る。
【０１３７】
料理情報検索部５２ｃは、まず、図２２に示す情報を格納している食材情報記憶部５４ｂから、該当する栄養素を一番多く含む食材情報、もしくは上位の複数の食材情報を読み出す。次に、「ビタミンＢ１」を一番多く含む食材としての「うなぎ」の情報を、図２３に示す情報を格納している料理情報記憶部５４ａから検索し、「夏バテ」改善に効果のある料理として「ウナギと夏野菜の中華風いため物」と「ウナギと茄子のいため物」の料理表示情報を検索制御部５２ａに送る。
【０１３８】
これにより、検索制御部５２ａは、図２５（ａ）に示すような検索結果を表示部５５に表示する。
【０１３９】
ここで、ユーザが、「ウナギと夏野菜の中華風いため物」を選択すると、表示部５には、図２５（ｂ）に示すように、「ウナギと夏野菜の中華風いため物」の料理に関する情報が表示される。
【０１４０】
以上の処理動作は、図２６に示すフローチャートに従って処理される。
【０１４１】
次に、図２６に示すフローチャートを参照して、上記処理動作を再度説明する。
【０１４２】
ステップＳ５１では、ユーザが入力部５１から検索したい症状として「夏バテ」を入力する。
【０１４３】
ステップＳ５２では、医療情報記憶部５３（図２１参照）より「夏バテ」に関する情報を検索しステップＳ５３へ進む。
【０１４４】
ステップＳ５３では、入力条件「夏バテ」に該当する情報が検索されたか否かを判断する。その結果、該当する情報がない場合（Ｎｏと判断された場合）には処理を終了し、該当する情報がある場合（Ｙｅｓと判断された場合）にはステップＳ５４へ進む。
【０１４５】
ステップＳ５４では、医療情報検索部５２ｂが、「夏バテ」の医療表示情報とその症状改善に効果のある栄養素の栄養素検索情報とを検索制御部５２ａへ送りステップＳ５５へ進む。
【０１４６】
ステップＳ５５では、検索制御部５２ａは「夏バテ」の医療表示情報を出力して表示部５５に表示する（図２４参照）。
【０１４７】
次に、ステップＳ５６では、「夏バテ」の栄養素検索情報が存在するか否かを判断し、存在しない場合（Ｎｏと判断される場合）には処理を終了し、存在する場合（Ｙｅｓと判断される場合）にはステップＳ５７へ進む。
【０１４８】
ステップＳ５７では、ユーザが、その症状改善に効果のある栄養素の選択を求める。その結果、ユーザが、その症状改善に効果のある栄養素の選択をしない場合には処理を終了する。一方、ユーザが、その症状改善に効果のある栄養素の一つである「ビタミンＢ１」を選択した場合にはステップＳ５８へ進む。
【０１４９】
ステップＳ５８では、検索制御部５２ａは「夏バテ」改善に効果のある栄養素である「ビタミンＢ１」の栄養素検索情報を料理情報検索部５２ｃへ送る。料理情報検索部５２ｃは、食材情報記憶部５４ｂ（図２２参照）より「ビタミンＢ１」を一番多く含む食材情報を検索し、ステップＳ５９へ進む。
【０１５０】
ステップＳ５９では、料理情報検索部５２ｃは、料理情報記憶部５４ａ（  図２３参照）  より「ビタミンＢ１」を一番多く含む食材としての「うなぎ」を含む料理に関する情報を検索し、ステップＳ６０へ進む。
【０１５１】
ステップＳ６０では、食材情報に「うなぎ」を含む料理に該当する情報が検索されたか否かを判断する。その結果、該当する情報がない場合（Ｎｏと判断された場合）には処理を終了し、該当する情報がある場合（Ｙｅｓと判断された場合）にはステップＳ６１へ進む。
【０１５２】
ステップＳ６１では、料理情報検索部５２ｃは、検索結果として「ウナギと夏野菜の中華風いため物」と「ウナギと茄子のいため物」の料理表示情報を読み出し、検索制御部５２ａに送り、ステップＳ６２へ進む。
【０１５３】
ステップＳ６２では、検索結果として「ウナギと夏野菜の中華風いため物」と「ウナギと茄子のいため物」の情報を表示部５に表示して処理を終了する（図２５（ａ），（ｂ）参照）。
【０１５４】
＜実施例６＞
本実施例６の料理検索処理について、図２０に示すシステム構成図、図２７に示す医療情報記憶部５３に記憶されている医療関連情報、図２８に示す食材情報記憶部５４ｂにに記憶されている食材情報、及び図２９に示す料理情報記憶部５４ａに記憶されている料理情報を参照して説明する。
【０１５５】
医療情報記憶部５３には、図２７に示すように、各種病名と、医療関連もしくは健康関連の情報（ここでは、医療表示情報という）と、栄養素検索情報とが対応付けられて格納されている。例えば、症状「糖尿病」に対して、その糖尿病に対する対策が医療表示情報に格納されており、糖尿病に効果のある栄養素検索情報として「亜鉛、ビタミンＣ、カルシウム」が格納されている。
【０１５６】
また、食材情報記憶部５４ｂには、図２８に示すように、食材情報と、これに含まれる各栄養素（ビタミンＣ、カリウム、カルシウム、マグネシウム等）の含有量が格納されている。
【０１５７】
また、料理情報記憶部５４ａには、図２９に示すように、医療情報記憶部５３の食材情報に対応した食材情報と、料理表示情報とが対応付けられて格納されており、料理表示情報は、料理名、材料、作り方、カロリーの各項目からなる。
【０１５８】
上記構成において、ユーザは、入力部５１から検索したい病名を検索制御部５２ａに入力すると、検索制御部５２ａは、入力部５１から入力された条件（病名）を医療情報検索部５２ｂへ送る。
【０１５９】
医療情報検索部５２ｂは、受け取った情報に基づいて医療情報記憶部５３を検索し、該当する情報を見つけると、それに付随する医療表示情報とその病名の症状改善に効果のある栄養素検索情報とを読み出して、検索制御部５２ａに送る。
【０１６０】
検索制御部５２ａは、受け取った医療表示情報を表示部５５に表示する。
【０１６１】
ここで、ユーザが、その病名の症状改善に効果のある栄養素の一つを選択すると、検索制御部５２ａは、選択された栄養素検索情報を料理情報検索部５２ｃに送る。
【０１６２】
料理情報検索部５２ｃは、送られてきた栄養素検索情報に基づいて食材情報記憶部５４ｂを検索し、該当する栄養素を一番多く含む食材情報、もしくは上位の複数の食材情報を読み出す。そして、読み出した食材情報に基づいて料理情報記憶部５４ａを検索し、該当する料理を見つけると、その料理名とそれに付随する料理表示情報を読み出して検索制御部５２ａに送る
検索制御部５２ａは、料理情報検索部５２ｃから送られてきた料理名とそれに付随する料理表示情報とを表示部５５に表示する。
【０１６３】
次に、上記実施例６の料理検索処理の具体例について、図３０及び図３１に示す料理検索画面例を参照して説明する。
【０１６４】
例えば、ユーザが「高血圧」について検索を行いたい場合、まずユーザは、入力部５１から「高血圧」の項目を入力する。ただし、図示は省略しているが、この入力は、表示部５に表示された病名一覧から「高血圧」の項目を選択することで行ってもよい。
【０１６５】
検索制御部２ａは、この入力部１からの入力を受けて、医療情報検索部５２ｂへ「高血圧」を検索する信号を送る。
【０１６６】
医療情報検索部５２ｂは、図２７に示す情報を格納している医療情報記憶部５３から「高血圧」に関する医療表示情報とその食事療法に有効な栄養素検索情報を読み出して検索制御部５２ａに送る。
【０１６７】
検索制御部５２ａは、受け取った情報のうち医療表示情報を表示部５５に表示する（図３０参照）。
【０１６８】
ここで、ユーザが、その食事療法に有効な栄養素の一つである「マグネシウム」を選択すると、検索制御部５２ａは、料理情報検索部５２ｃに栄養素検索情報「マグネシウム」を送る。
【０１６９】
料理情報検索部５２ｃは、まず、図２８に示す情報を格納している食材情報記憶部５４ｂから、該当する栄養素を一番多く含む食材情報、もしくは上位の複数の食材情報を読み出す。次に、「マグネシウム」を一番多く含む食材としての「あじ」の情報を、図２９に示す情報を格納している料理情報記憶部５４ａから検索し、「高血圧」の食事療法に有効な料理として、「あじのしょうが煮」と「あじのねぎとろ蒸し」の料理表示情報を検索制御部５２ａに送る。
【０１７０】
これにより、検索制御部５２ａは、図３１（ａ）に示すような検索結果を表示部５５に表示する。
【０１７１】
ここで、ユーザが、「あじのしょうが煮」を選択すると、表示部５には、図３１（ｂ）に示すように、「あじのしょうが煮」の料理に関する情報が表示される。
【０１７２】
以上の処理動作は、上記実施例５で説明した図２６に示すフローチャートとほぼ同様の手順に従って処理される。違うところは、実施例５ではステップＳ５２で症状に対応する情報を検索しているのに対し、本実施例５では病名に対応する情報を検索している点のみである。
【０１７３】
＜実施例７＞
本実施例７の料理検索処理について、図２０に示すシステム構成図、図３２に示す医療情報記憶部５３に記憶されている医療関連情報、図３３に示す食材情報記憶部５４ｂに記憶されている食材情報、及び図３４に示す料理情報記憶部５４ａに記憶されている料理情報を参照して説明する。
【０１７４】
医療情報記憶部５３には、図３２に示すように、各種症状と、医療関連もしくは健康関連の情報（ここでは、医療表示情報という）と、栄養素検索情報とが対応付けられて格納されている。例えば、症状「夏バテ」に対して、その夏バテに対する対策が医療表示情報に格納されており、夏バテに効果のある栄養素検索情報として「たんぱく質、ビタミンＢ１、ビタミンＣ」が格納されている。
【０１７５】
また、食材情報記憶部５４ｂには、図３３に示すように、食材情報と、これに含まれる各栄養素（カロリー、たんぱく質、ビタミンＢ１、ビタミンＣ等）の含有量が格納されている。
【０１７６】
また、料理情報記憶部５４ａには、図３４に示すように、医療情報記憶部５３の食材情報に対応した食材情報と、料理表示情報とが対応付けられて格納されており、料理表示情報は、料理名、材料、作り方、カロリーの各項目からなる。
【０１７７】
上記構成において、ユーザは、入力部５１から検索したい症状を検索制御部５２ａに入力すると、検索制御部５２ａは、入力部５１から入力された条件（症状）を医療情報検索部５２ｂへ送る。
【０１７８】
医療情報検索部５２ｂは、受け取った情報に基づいて医療情報記憶部５３を検索し、該当する情報を見つけると、それに付随する医療表示情報とその症状改善に効果のある栄養素検索情報とを読み出して検索制御部５２ａに送る。
【０１７９】
検索制御部５２ａは、受け取った医療表示情報を表示部５５に表示する。
【０１８０】
ここで、ユーザが、検索したい症状の改善に効果のある料理を検索する意味を持つある特定の操作を行うと、検索制御部５２ａは、料理情報検索部５２ｃに全ての栄養素検索情報を送る。
【０１８１】
料理情報検索部５２ｃは送られてきた全ての栄養素検索情報に基づいて食材情報記憶部５４ｂを検索し、それぞれの栄養素について、該当する栄養素を一番多く含む食材情報、もしくは上位の複数の食材情報を読み出す。そして、読み出した食材情報に基づいて料理情報記憶部５４ａを検索し、該当する料理を見つけると、その料理名とそれに付随する料理表示情報とを読み出して検索制御部５２ａに送る。
【０１８２】
検索制御部５２ａは、料理情報検索部５２ｃから送られてきた料理名とそれに付随する料理表示情報を表示部５５に表示する。
【０１８３】
次に、上記実施例７の料理検索処理の具体例について、図３５及び図３６に示す料理検索画面例を参照して説明する。
【０１８４】
例えば、ユーザが「夏バテ」について検索を行いたい場合、まずユーザは、入力部５１から「夏バテ」の項目を入力する。ただし、図示は省略しているが、この入力は、表示部５に表示された症状一覧から「夏バテ」の項目を選択することで行ってもよい。
【０１８５】
検索制御部５２ａは、入力部５１からの入力を受けて医療情報検索部５２ｂへ「夏バテ」を検索する信号を送る。
【０１８６】
医療情報検索部５２ｂは、図３２に示す情報を格納している医療情報記憶部５３から「夏バテ」に関する医療表示情報とその症状改善に効果のある栄養素検索情報とを読み出して検索制御部５２ａに送る。
【０１８７】
検索制御部５２ａは、受け取った情報のうち医療表示情報を表示部５５に表示させる（図３５参照）。
【０１８８】
ここで、ユーザがある特定のキー操作（本実施例７では画面上の「切替キー」を押す操作となっているが、例えば「ジャンプボタン」を押すなどの操作でもよい）を行った場合、検索制御部２ａは、料理情報検索部５２ｃに「夏バテ」改善に効果のある全ての栄養素検索情報を送る。
【０１８９】
料理情報検索部５２ｃは、図３３に示す情報を格納している食材情報記憶部５４ｂから、それぞれの栄養素について、該当する栄養素を一番多く含む食材情報、もしくは上位の複数の食材情報を読み出す。
【０１９０】
次に、「たんぱく質」と「ビタミンＢ１」を一番多く含む食材としての「うなぎ」と、「ビタミンＣ」を一番多く含む食材としての「バナナ」の情報を、図３４に示す情報を格納している料理情報記憶部５４ａから検索し、「夏バテ」改善に効果のある料理として、「バナナのヨーグルトグラタン」、「ウナギと夏野菜の中華風いため物」、「ウナギと茄子のいため物」の料理表示情報を検索制御部５２ａに送る。
【０１９１】
これにより、検索制御部５２ａは、図３６（ａ）に示されるような検索結果を表示部５５に表示する。
【０１９２】
ここで、ユーザが、「ウナギと夏野菜の中華風いため物」を選択すると、表示部５５には、図３６（ｂ）に示すように、「ウナギと夏野菜の中華風いため物」の料理に関する情報が表示される。
【０１９３】
以上の処理動作は、図３７に示すフローチャートに従って処理される。
【０１９４】
次に、図３７に示すフローチャートを参照して、上記処理動作を再度説明する。
【０１９５】
ステップＳ７１では、ユーザが入力部５１から検索したい症状として「夏バテ」を入力する。
【０１９６】
ステップＳ７２では、医療情報記憶部５３（図３２参照）より「夏バテ」に関する情報を検索し、ステップＳ７３へ進む。
【０１９７】
ステップＳ７３では、入力条件「夏バテ」に該当する情報が検索されたか否かを判断する。その結果、該当する情報がない場合（Ｎｏと判断された場合）には処理を終了し、該当する情報がある場合（Ｙｅｓと判断された場合）にはステップＳ７４へ進む。
【０１９８】
ステップＳ７４では、医療情報検索部５３が、「夏バテ」の医療表示情報とその症状改善に効果のある栄養素の栄養素検索情報を検索制御部５２ａへ送りステップＳ７５へ進む。
【０１９９】
ステップＳ７５では、検索制御部５２ａは「夏バテ」の医療表示情報を出力して表示部５５に表示する（図３５参照）。
【０２００】
次に、ステップＳ７６では、「夏バテ」の栄養素検索情報が存在するか否かを判断し、存在しない場合（Ｎｏと判断した場合）には処理を終了し、存在する場合（Ｙｅｓと判断した場合）にはステップＳ７７へ進む。
【０２０１】
ステップＳ７７では、ユーザに症状の改善に効果のある料理情報を表示させるか否かを求める。その結果、ユーザが、その症状改善に効果のある料理情報の表示をしない場合には処理を終了する。一方、ユーザが、その症状改善に効果のある料理情報の表示する場合はステップＳ７８へ進む。
【０２０２】
ステップＳ７８では、検索制御部５２ａは、料理情報検索部５２ｃに「夏バテ」改善に効果のある全ての栄養素検索情報を送る。料理情報検索部５２ｃは、食材情報記憶部５４ｂ（図３３参照）から、それぞれの栄養素について、該当する栄養素を一番多く含む食材情報を検索し、ステップＳ７９へ進む。
【０２０３】
ステップＳ７９では、料理情報検索部５２ｃは、料理情報記憶部５４ａ（  図３４参照）  より「たんぱく質」と「ビタミンＢ１」を一番多く含む食材としての「うなぎ」と、「ビタミンＣ」を一番多く含む食材としての「バナナ」を含む料理に関する情報を検索し、ステップ８０へ進む。
【０２０４】
ステップＳ８０では、食材情報に「うなぎ」、「バナナ」を含む料理に該当する情報が検索されたか否かを判断する。その結果、該当する情報がない場合（Ｎｏと判断された場合）には処理を終了し、該当する情報がある場合（Ｙｅｓと判断された場合）にはステップＳ８１へ進む。
【０２０５】
ステップＳ８１では、料理情報検索部５２ｃは、検索結果として「バナナのヨーグルトグラタン」、「ウナギと夏野菜の中華風いため物」、「ウナギと茄子のいため物」の料理表示情報を読み出し、検索制御部５２ａに送りステップＳ８２へ進む。
【０２０６】
ステップＳ８２では、検索結果として「バナナのヨーグルトグラタン」、「ウナギと夏野菜の中華風いため物」、「ウナギと茄子のいため物」の情報を表示部５５に表示して処理を終了する（図３６（ａ），（ｂ）参照）。
【０２０７】
＜実施例８＞
本実施例８の料理検索処理について、図２０に示すシステム構成図、図３８に示す医療情報記憶部５３に記憶されている医療関連情報、図３９に示す食材情報記憶部５４ｂにに記憶されている食材情報、及び図４０に示す料理情報記憶部５４ａに記憶されている料理情報を参照して説明する。
【０２０８】
医療情報記憶部５３には、図３８に示すように、各種病名と、医療関連もしくは健康関連の情報（ここでは、医療表示情報という）と、栄養素検索情報とが対応付けられて格納されている。例えば、病名「糖尿病」に対して、その糖尿病に対する対策が医療表示情報に格納されており、糖尿病に効果のある栄養素検索情報として「亜鉛、ビタミンＣ、カルシウム」が格納されている。
【０２０９】
また、食材情報記憶部５４ｂには、図３９に示すように、食材情報と、これに含まれる各栄養素（ビタミンＣ、カリウム、カルシウム、マグネシウム等）の含有量が格納されている。
【０２１０】
また、料理情報記憶部５４ａには、図４０に示すように、医療情報記憶部５３の食材情報に対応した食材情報と、料理表示情報とが対応付けられて格納されており、料理表示情報は、料理名、材料、作り方、カロリーの各項目からなる。
【０２１１】
上記構成において、ユーザは、入力部５１から検索したい病名を検索制御部５２ａに入力すると、検索制御部５２ａは、入力部５１から入力された条件（病名）を医療情報検索部５２ｂへ送る。
【０２１２】
医療情報検索部５２ｂは、受け取った情報に基づいて医療情報記憶部５３を検索し、該当する情報を見つけると、それに付随する医療表示情報とその症状改善に効果のある栄養素検索情報とを読み出して検索制御部５２ａに送る。
【０２１３】
検索制御部５２ａは、受け取った医療表示情報を表示部５５に表示する。
【０２１４】
ここで、ユーザが、検索したい病名の病気の症状改善に効果のある料理を検索する意味を持つある特定の操作を行うと、検索制御部５２ａは、料理情報検索部５２ｃに全ての栄養素検索情報を送る。
【０２１５】
料理情報検索部５２ｃは送られてきた全ての栄養素検索情報に基づいて食材情報記憶部５４ｂを検索し、それぞれの栄養素について、該当する栄養素を一番多く含む食材情報、もしくは上位の複数の食材情報を読み出す。そして、読み出した食材情報に基づいて料理情報記憶部５４ａを検索し、該当する料理を見つけると、その料理名とそれに付随する料理表示情報とを読み出して検索制御部５２ａに送る。
【０２１６】
検索制御部５２ａは、料理情報検索部５２ｃから送られてきた料理名とそれに付随する料理表示情報を表示部５５に表示する。
【０２１７】
次に、上記実施例８の料理検索処理の具体例について、図４１及び図４２に示す料理検索画面例を参照して説明する。
【０２１８】
例えば、ユーザが「高血圧」について検索を行いたい場合、まずユーザは、入力部５１から「高血圧」の項目を入力する。ただし、図示は省略しているが、この入力は、表示部５に表示された病名一覧から「高血圧」の項目を選択することで行ってもよい。
【０２１９】
検索制御部５２ａは、入力部５１からの入力を受けて医療情報検索部５２ｂへ「高血圧」を検索する信号を送る。
【０２２０】
医療情報検索部５２ｂは、図３８に示す情報を格納している医療情報記憶部５３から「高血圧」に関する医療表示情報とその食事療法に有効な栄養素検索情報とを読み出して検索制御部５２ａに送る。
【０２２１】
検索制御部５２ａは、受け取った情報のうち医療表示情報を表示部５５に表示する（図４１参照）。
【０２２２】
ここで、ユーザがある特定のキー操作（本実施例８では画面上の「切替キー」を押す操作となっているが、例えば「ジャンプボタン」を押すなどの操作でもよい）を行った場合、検索制御部２ａは、料理情報検索部５２ｃに「高血圧」の食事療法に有効な全ての栄養素検索情報を送る。
【０２２３】
料理情報検索部５２ｃは、まず、図３９に示す情報を格納している食材情報記憶部５４ｂから、それぞれの栄養素について、該当する栄養素を一番多く含む食材情報、もしくは上位の複数の食材情報を読み出す。次に、「カリウム」を一番多く含む食材としての「山いも」と、「マグネシウム」を一番多く含む食材としての「あじ」の情報を、図４０に示す情報を格納している料理情報記憶部５４ａから検索し、「高血圧」の食事療法に有効な料理として「あじのしょうが煮」と「あじのねぎとろ蒸し」の料理表示情報を検索制御部５２ａに送る。
【０２２４】
これにより、検索制御部５２ａは、図４２（ａ）に示されるような検索結果を表示部５５に表示する。
【０２２５】
ここで、ユーザが、「あじのしょうが煮」を選択すると、表示部５５には、図４２（ｂ）に示すように、「あじのしょうが煮」の料理に関する情報が表示される。
【０２２６】
以上の処理動作は、上記実施例７で説明した図３７に示すフローチャートとほぼ同様の手順に従って処理される。違うところは、実施例７ではステップＳ７２で症状に対応する情報を検索しているのに対し、本実施例８では病名に対応する情報を検索している点のみである。
【０２２７】
以上説明した献立検索装置は、食事療法に有効な献立情報の検索処理を機能させるためのプログラムで実現されている。
【０２２８】
発明の対象とするのは、このプログラムそのものであってもよいし、このプログラムがコンピュータで読み取り可能な記録媒体に格納されているものであってもよい。
【０２２９】
本発明では、この記録媒体として、図１に示されている検索部（マイクロコンピュータ）２，５２で処理が行なわれるために必要なメモリ、例えばＲＯＭのようなものそのものがプログラムメディアであってもよいし、また、図示していない外部記憶装置としてプログラム読み取り装置が設けられ、そこに記録媒体を挿入することで読み取り可能なプログラムメディアであってもよい。いずれの場合においても、格納されているプログラムはマイクロコンピュータがアクセスして実行させる構成であってもよいし、あるいはいずれの場合もプログラムを読み出し、読み出されたプログラムは、マイクロコンピュータの図示しないプログラム記憶エリアにロードされて、そのプログラムが実行される方式であってもよい。このロード用のプログラムは予め装置本体に格納されているものとする。
【０２３０】
ここで、上記プログラムメディアは、本体と分離可能に構成される記録媒体であり、磁気テープやカセットテープ等のテープ系、ＦＤ（フレキシブルディスク）やＨＤ（ハードディスク）等の磁気ディスクやＣＤ−ＲＯＭ／ＭＯ／ＭＤ／ＤＶＤ等の光ディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０２３１】
また、本発明においては、インターネットを含む通信ネットワークと接続可能なシステム構成である場合には、通信ネットワークからプログラムをダウンロードするように流動的にプログラムを担持する媒体であってもよい。なお、このように通信ネットワークからプログラムをダウンロードする場合には、そのダウンロード用プログラムは予め装置本体に格納しておくか、あるいは別の記録媒体からインストールされるものであってもよい。なお、記録媒体に格納されている内容としてはプログラムに限定されず、データであってもよい。
【０２３２】
さらに、本発明では、プログラム自体として、図１に示されている検索部（マイクロコンピュータ）２で実行される処理そのものであってもよいし、あるいはインターネットを含む通信ネットワークとアクセスすることで取り込める、あるいは取り込んだものであってもよいし、こちらから送り出すものであってもよい。さらには、この取り込んだプログラムに基づいて、上記献立検索装置内で処理された結果、つまり生成されたものであってもよい。あるいは、こちらから送り出す際に上記献立検索装置内で処理された結果、つまり生成されたものであってもよい。なお、これらのものはプログラムに限定されず、データであってもよい。
【０２３３】
【発明の効果】
本発明によれば、ユーザが、医療関連もしくは健康関連の情報を閲覧しながら、症状を入力・選択することにより、検索部が医療情報記憶部から条件に合った情報を検索し、その条件を基に料理情報記憶部から条件に合った料理に関するデータを読み出し表示することができる。
【０２３４】
また、本発明によれば、ユーザが、医療関連もしくは健康関連の情報を閲覧しながら、食事療法を検索したい病名を入力・選択することにより、検索部が医療情報記憶部から条件に合った情報を検索し、その条件を基に料理情報記憶部から条件に合った料理に関するデータを読み出し表示することができる。
【０２３５】
また、本発明によれば、ユーザが、医療関連もしくは健康関連の情報を閲覧しながら、症状とその症状を改善する効果のある食材を入力・選択することにより、検索部が医療情報記憶部から条件に合った情報を検索し、その条件を基に料理情報記憶部から条件に合った料理に関するデータを読み出し表示することができる。
【０２３６】
また、本発明によれば、ユーザが、医療関連もしくは健康関連の情報を閲覧しながら、食事療法を検索したい病名とその食事療法に有効な食材を入力・選択することにより、検索部が医療情報記憶部から条件に合った情報を検索し、その条件を基に料理情報記憶部から条件に合った料理に関するデータを読み出し表示することができる。
【０２３７】
また、本発明によれば、ユーザが、医療関連もしくは健康関連の情報を閲覧しながら、症状とその症状を改善する効果のある栄養素を入力・選択することにより、検索部が医療情報記憶部から条件に合った情報を検索し、その条件を基に料理情報記憶部から条件に合った料理に関するデータを読み出し表示することができる。
【０２３８】
また、本発明によれば、ユーザが、医療関連もしくは健康関連の情報を閲覧しながら、食事療法を検索したい病名とその食事療法に有効な栄養素を入力・選択することにより、検索部が医療情報記憶部から条件に合った情報を検索し、その条件を基に料理情報記憶部から条件に合った料理に関するデータを読み出し表示することができる。
【０２３９】
また、本発明によれば、ユーザが、医療関連もしくは健康関連の情報を閲覧しながら、症状とその症状を改善する効果のある栄養素を多く含む食材を入力・選択することにより、検索部が医療情報記憶部から条件に合った情報を検索し、その条件を基に料理情報記憶部から条件に合った料理に関するデータを読み出し表示することができる。
【０２４０】
また、本発明によれば、ユーザが、医療関連もしくは健康関連の情報を閲覧しながら、食事療法を検索したい病名とその食事療法に有効な栄養素を多く含む食材を入力・選択することにより、検索部が医療情報記憶部から条件に合った情報を検索し、その条件を基に料理情報記憶部から条件に合った料理に関するデータを読み出し表示することができる。
【図面の簡単な説明】
【図１】本発明の献立検索装置の実施の形態１を示すシステム構成図である。
【図２】実施例１において、医療情報記憶部に記憶されている医療関連情報の例を示す説明図である。
【図３】実施例１において、料理情報記憶部に記憶されている料理情報の例を示す説明図である。
【図４】実施例１の料理検索処理により表示部に表示される料理検索画面の一例を示す説明図である。
【図５】（ａ），（ｂ）は、実施例１により表示部に表示される料理検索画面の一例を示す説明図である。
【図６】実施例１の料理検索処理の手順を示すフローチャートである。
【図７】実施例２において、医療情報記憶部に記憶されている医療関連情報の例を示す説明図である。
【図８】実施例２において、料理情報記憶部に記憶されている料理情報の例を示す説明図である。
【図９】実施例２の料理検索処理により表示部に表示される料理検索画面の一例を示す説明図である。
【図１０】（ａ），（ｂ）は、実施例２により表示部に表示される料理検索画面の一例を示す説明図である。
【図１１】実施例３において、医療情報記憶部に記憶されている医療関連情報の例を示す説明図である。
【図１２】実施例３において、料理情報記憶部に記憶されている料理情報の例を示す説明図である。
【図１３】実施例３の料理検索処理により表示部に表示される料理検索画面の一例を示す説明図である。
【図１４】（ａ），（ｂ）は、実施例３により表示部に表示される料理検索画面の一例を示す説明図である。
【図１５】実施例３の料理検索処理の手順を示すフローチャートである。
【図１６】実施例４において、医療情報記憶部に記憶されている医療関連情報の例を示す説明図である。
【図１７】実施例４において、料理情報記憶部に記憶されている料理情報の例を示す説明図である。
【図１８】実施例４の料理検索処理により表示部に表示される料理検索画面の一例を示す説明図である。
【図１９】（ａ），（ｂ）は、実施例４により表示部に表示される料理検索画面の一例を示す説明図である。
【図２０】本発明の献立検索装置の実施の形態２を示すシステム構成図である。
【図２１】実施例５において、医療情報記憶部に記憶されている医療関連情報の例を示す説明図である。
【図２２】実施例５において、食材情報記憶部に記憶されている料理情報の例を示す説明図である。
【図２３】実施例５において、料理情報記憶部に記憶されている料理情報の例を示す説明図である。
【図２４】実施例５の料理検索処理により表示部に表示される料理検索画面の一例を示す説明図である。
【図２５】（ａ），（ｂ）は、実施例５により表示部に表示される料理検索画面の一例を示す説明図である。
【図２６】実施例５の料理検索処理の手順を示すフローチャートである。
【図２７】実施例６において、医療情報記憶部に記憶されている医療関連情報の例を示す説明図である。
【図２８】実施例６において、食材情報記憶部に記憶されている料理情報の例を示す説明図である。
【図２９】実施例６において、料理情報記憶部に記憶されている料理情報の例を示す説明図である。
【図３０】実施例６の料理検索処理により表示部に表示される料理検索画面の一例を示す説明図である。
【図３１】（ａ），（ｂ）は、実施例６により表示部に表示される料理検索画面の一例を示す説明図である。
【図３２】実施例７において、医療情報記憶部に記憶されている医療関連情報の例を示す説明図である。
【図３３】実施例７において、食材情報記憶部に記憶されている料理情報の例を示す説明図である。
【図３４】実施例７において、料理情報記憶部に記憶されている料理情報の例を示す説明図である。
【図３５】実施例７の料理検索処理により表示部に表示される料理検索画面の一例を示す説明図である。
【図３６】（ａ），（ｂ）は、実施例７により表示部に表示される料理検索画面の一例を示す説明図である。
【図３７】実施例７の料理検索処理の手順を示すフローチャートである。
【図３８】実施例８において、医療情報記憶部に記憶されている医療関連情報の例を示す説明図である。
【図３９】実施例８において、食材情報記憶部に記憶されている料理情報の例を示す説明図である。
【図４０】実施例８において、料理情報記憶部に記憶されている料理情報の例を示す説明図である。
【図４１】実施例８の料理検索処理により表示部に表示される料理検索画面の一例を示す説明図である。
【図４２】（ａ），（ｂ）は、実施例８により表示部に表示される料理検索画面の一例を示す説明図である。
【符号の説明】
１，５１  入力部
２，５２  検索部
２ａ，５２ａ  検索制御部
２ｂ，５２ｂ  医療情報検索部
２ｃ，５２ｃ  料理情報検索部
３，５３  医療情報記憶部
４  料理情報記憶部
５４  料理関連情報記憶部
５４ａ  料理情報記憶部
５４ｂ  食材情報記憶部
【図１】
2004152016.tif 000003
【図２】
2004152016.tif 000004
【図３】
2004152016.tif 000005
【図４】
2004152016.tif 000006
【図５】
2004152016.tif 000007
【図６】
2004152016.tif 000008
【図７】
2004152016.tif 000009
【図８】
2004152016.tif 000010
【図９】
2004152016.tif 000011
【図１０】
2004152016.tif 000012
【図１１】
2004152016.tif 000013
【図１２】
2004152016.tif 000014
【図１３】
2004152016.tif 000015
【図１４】
2004152016.tif 000016
【図１５】
2004152016.tif 000017
【図１６】
2004152016.tif 000018
【図１７】
2004152016.tif 000019
【図１８】
2004152016.tif 000020
【図１９】
2004152016.tif 000021
【図２０】
2004152016.tif 000022
【図２１】
2004152016.tif 000023
【図２２】
2004152016.tif 000024
【図２３】
2004152016.tif 000025
【図２４】
2004152016.tif 000026
【図２５】
2004152016.tif 000027
【図２６】
2004152016.tif 000028
【図２７】
2004152016.tif 000029
【図２８】
2004152016.tif 000030
【図２９】
2004152016.tif 000031
【図３０】
2004152016.tif 000032
【図３１】
2004152016.tif 000033
【図３２】
2004152016.tif 000034
【図３３】
2004152016.tif 000035
【図３４】
2004152016.tif 000036
【図３５】
2004152016.tif 000037
【図３６】
2004152016.tif 000038
【図３７】
2004152016.tif 000039
【図３８】
2004152016.tif 000040
【図３９】
2004152016.tif 000041
【図４０】
2004152016.tif 000042
【図４１】
2004152016.tif 000043
【図４２】
2004152016.tif 000044